(57)【要約】【課題】クロストークの減少及びインピーダンスの整合において有利であり、かつ、コネクタの低背化を容易にした電気コネクタを提供すること。【解決手段】電気コネクタの絶縁性のハウジングを、モールドイン部３と、モールドイン部を覆ったカバー部４との二つの部品に分ける。そして、モールドイン部には、複数のコンタクト５をモールドインにより並列保持させると共に複数のコンタクトの間を貫通する空気層３２を形成する。【選択図】図４
2010212017.tif 000002
【特許請求の範囲】
【請求項１】
絶縁性のハウジングと前記ハウジングに組み込まれた導電性の複数のコンタクトとを有する電気コネクタにおいて、前記ハウジングは、前記複数のコンタクトをモールドインにより並列保持してなるモールドイン部と、前記モールドイン部とは別体に形成されかつ前記モールドイン部を覆ったカバー部とを含み、前記モールドイン部に、前記複数のコンタクトの間を貫通する空気層を形成してなることを特徴とする電気コネクタ。
【請求項２】
前記複数のコンタクトの各々は所定方向にのびており、前記モールドイン部は、前記延伸方向で互いに離間した複数個所において前記複数のコンタクトを横断的に保持した複数のコンタクト保持部を有し、前記空気層は前記複数のコンタクト保持部間に形成されており、前記複数のコンタクトは前記空気層に露出している、請求項１に記載の電気コネクタ。
【請求項３】
前記複数のコンタクトの各々は、接触部と、端子部と、前記接触部及び前記端子部の間の被保持部とを有し、前記被保持部を前記モールドイン部にモールドインしてなる、請求項１又は２に記載の電気コネクタ。
【請求項４】
前記カバー部は、相手コネクタを受け入れる嵌合開口を有し、前記複数のコンタクトの各々は、前記嵌合開口内に位置している接触部を有する、請求項１から３のいずれか一項に記載の電気コネクタ。
【請求項５】
前記カバー部の周りを覆った金属シェルをさらに含む、請求項１から４のいずれか一項に記載の電気コネクタ。
【発明の詳細な説明】
【技術分野】
【０００１】
本発明は、ハウジングに複数のコンタクトを並列に取り付けてなる電気コネクタに関する。
【背景技術】
【０００２】
近年の電気機器又は電子機器の小型化に伴い、それらに使用されるコネクタにも小型化が求められている。そのため、コネクタの低背化や内部に並列配置されたコンタクト又は端子の狭ピッチ化が進んでいる。一方では、コネクタに対する高速伝送の要求も高くなっている。しかし、端子の狭ピッチ化が進むと、隣り合った端子がコンデンサの役割を果たしてしまい、クロストークの発生やインピーダンスの不整合により高速伝送ができなくなる虞がある。
【０００３】
例えば特許文献１には、ハウジングに圧入保持させた複数の端子に孔を形成し、また、端子間に空隙を形成した電気コネクタが開示されている。その電気コネクタによると、孔により端子の対向面積が小さくなると共に空隙により端子間に低誘電率の空気層が形成されるので、隣り合った端子間のキャパシタンス成分が低減する。したがって、クロストークの減少やインピーダンスの整合が容易である。
【先行技術文献】
【特許文献】
【０００４】
【特許文献１】特開２００７−１７２９４０号公報
【発明の概要】
【発明が解決しようとする課題】
【０００５】
しかしながら、特許文献１では、ハウジングに対する端子の保持が圧入構造から成っているため、必要な保持力を得るためには端子の圧入部の幅を大きくせざるを得ず、その結果、端子の圧入部の対向面積が大きくなってしまう。したがって、クロストークやインピーダンスに関し、更なる改善を求めるのは困難である。
【０００６】
また、端子の圧入部の幅が大きくなるため、電気コネクタの上下方向の寸法が大きくなり、低背化が困難であった。
【０００７】
それ故に本発明の課題は、クロストークの減少及びインピーダンスの整合において有利であり、かつ、コネクタの低背化を容易にした電気コネクタを提供することにある。
【課題を解決するための手段】
【０００８】
本発明の一態様によれば、絶縁性のハウジングと前記ハウジングに組み込まれた導電性の複数のコンタクトとを有する電気コネクタにおいて、前記ハウジングは、前記複数のコンタクトをモールドインにより並列保持してなるモールドイン部と、前記モールドイン部とは別体に形成されかつ前記モールドイン部を覆ったカバー部とを含み、前記モールドイン部に、前記複数のコンタクトの間を貫通する空気層を形成してなることを特徴とする電気コネクタが得られる。
【０００９】
前記複数のコンタクトの各々は所定方向にのびており、前記モールドイン部は、前記延伸方向で互いに離間した複数個所において前記複数のコンタクトを横断的に保持した複数のコンタクト保持部を有し、前記空気層は前記複数のコンタクト保持部間に形成されており、前記複数のコンタクトは前記空気層に露出していてもよい。
【００１０】
前記複数のコンタクトの各々は、接触部と、端子部と、前記接触部及び前記端子部の間の被保持部とを有し、前記被保持部を前記モールドイン部にモールドインしてもよい。
【００１１】
前記カバー部は、相手コネクタを受け入れる嵌合開口を有し、前記複数のコンタクトの各々は、前記嵌合開口内に位置している接触部を有してもよい。
【００１２】
前記カバー部の周りを覆った金属シェルをさらに含んでもよい。
【発明の効果】
【００１３】
本発明の一態様によるコネクタは、ハウジングに複数のコンタクトをモールドインにより並列保持したモールドイン部を設けると共に、そのモールドイン部にコンタクトの間に貫通する空気層を形成しているので、クロストークの減少及びインピーダンスの整合において有利であり、かつ、コネクタの低背化が容易である。
【図面の簡単な説明】
【００１４】
【図１】本発明の一実施形態に係る電気コネクタの外観斜視図である。
【図２】図１の電気コネクタの分解斜視図である。
【図３】図１の電気コネクタに含まれたモールド部品の斜視図である。
【図４】図１のIV−IV線に沿って得られた断面斜視図である。
【図５】図１のV−V線に沿って得られた断面図である。
【図６】図３のモールド部品の製造方法を説明するための説明図である。
【図７】図１の電気コネクタを使用して製造された中継コネクタの一例を示す外観斜視図である。
【図８】図７の中継コネクタの分解斜視図である。
【図９】図７の中継コネクタの製造方法を説明するための説明図である。
【発明を実施するための形態】
【００１５】
図１及び図２を参照して、本発明の一実施形態に係る電気コネクタの全体構造について説明する。
【００１６】
図示の電気コネクタ１は、絶縁性のハウジング２と、ハウジング２に組み込まれた導電性の複数のコンタクト５とを含んでいる。ハウジング２は、コンタクト５をモールドインにより並列保持してなる樹脂製のモールドイン部３と、モールドイン部３とは別体に形成されかつモールドイン部３を覆った樹脂製のカバー部４とを含んでいる。各コンタクト５は所定の前後方向（第１の方向）Ａ１に延在している。なお、コンタクト５をモールドイン部３にモールドインしてなる部品を、ここではモールド部品１０と呼ぶ。
【００１７】
電気コネクタ１は、更に、カバー部４の周りを覆った金属シェル６を含んでいる。シェル６は角筒状のものであり、カバー部４及びモールドイン部３の外側に圧入により装着されている。シェル６の上板部分及び下板部分に設けた係止片６１が、モールドイン部３の上面及び下面に設けた係止穴３５に係合している。こうしてシェル６がカバー部４に固定される。
【００１８】
図３〜図５を参照して、電気コネクタ１の細部について説明する。
【００１９】
カバー部４は全体としては四角筒状のものであり、前部に相手コネクタ（図示せず）を受け入れる嵌合開口４１を有し、後部にモールドイン部３の前半部３３を受け入れ挿着する挿着穴４２を有する。
【００２０】
モールドイン部３は、カバー部４の挿着穴４２に圧入により挿着する小径の前半部３３と、前半部３３を挿着穴４２に挿着して組み付けたとき外形がカバー部４の外形に一致するよう形成された大径の後半部３４とを有する。
【００２１】
各コンタクト５は、接触バネ部５１と、端子部５３と、これらの間の被保持部５２とを有する長尺状をなしている。接触バネ部５１はモールドイン部３の前方に突出し、かつ、第１の方向Ａ１に直交する左右方向（第２の方向）Ａ２に一列に配列されている。端子部５３はモールドイン部３の後方に突出し、かつ、第２の方向Ａ２において隣り合うものが交互に、第１の方向Ａ１及び第２の方向Ａ２に直交する上下方向（第３の方向）Ａ３に振り分けられて２列に配列されている。被保持部５２は樹脂でモールドインされることで第２の方向Ａ２に並べてモールドイン部３に保持されている。なお、各コンタクト５のうち少なくともモールドイン部３に対応した部分は第１の方向Ａ１にのびている。
【００２２】
モールドイン部３は、第３の方向Ａ３の寸法を小さくして薄く形成されたものであり、第１の方向Ａ１で互いに離間した三箇所において複数のコンタクト５を横断するように形成された三つのコンタクト保持部３１を有している。複数のコンタクト５の被保持部５２はいずれも、コンタクト保持部３１によって保持されている。コンタクト５をモールドイン部３にモールドインする構造であるため、コンタクト５の被保持部５２を小さくしても、十分な保持力を得ることができる。また、コンタクト５の被保持部５２の幅即ち上下方向寸法を従来の圧入構造に較べて小さくできるので、コネクタの低背化を図ることが容易である。
【００２３】
コンタクト保持部３１の相互間には空気層３２が形成されている。コンタクト５の被保持部は空気層３２に露出しつつコンタクト保持部３１間にのびている。詳しく述べると、空気層３２は、コンタクト５の上側に広がった上層３２ａと、コンタクト５の下側に広がった下層３２ｂと、コンタクト５の隣り合ったもの間を貫通して上層３２ａと下層３２ｂとを繋いだ複数の貫通部３２ｃとを有している。
【００２４】
電気コネクタ１の製造は次のように行われる。
【００２５】
先ずカバー部４の外側にシェル６を圧入装着する。次に、モールドイン部３をシェル６内に挿入する。即ち、モールドイン部３の前半部３３をカバー部４の装着穴４２に圧入すると共に、後半部３４をシェル６内に挿入する。そして、モールドイン部３の係止穴３５にシェル６の係止片６１を係合させる。これにより電気コネクタ１が完成する。
【００２６】
上述したように、ハウジング２を、モールドイン部３とカバー部４との２体構造にし、モールドイン部３にコンタクト５をモールドインする構造であるため、コンタクト５の被保持部５２の隣り合ったもの間の対向面積を小さくすることができる。加えて、モールドイン部３にコンタクト５の間を貫通する空気層３２を容易に形成できる。したがって、コンタクト５間のキャパシタンスを小さくして、クロストークの減少、インピーダンスの整合を図ることができる。
【００２７】
なお、上述ではモールドイン部３が三つのコンタクト保持部３１を有する例を説明したが、コンタクト保持部３１は二つであってもよいし、又４つ以上作ることも可能である。
【００２８】
図６を参照して、モールド部品１０の製造方法に言及する。
【００２９】
コネクタの小型化を達成するため、コンタクト５は極めて細く設計される。したがって、モールドインに際しては、コンタクト５の振れを防止するためにコンタクトを部分的に支持することが必要となる。
【００３０】
上述したモールド部品１０はモールドイン部３の中央部に空気層３２を設ける構造であるため、その空気層３２を形成する部分を利用してコンタクト５を部分的に支持することが容易に可能である。即ち、図６（ａ）に示すようにブロック状の上下の金型パーツ１１，１２間にコンタクト５を挟んで支持する。この状態でモールドイン作業を行い、モールドイン作業が終了した後に図６（ｂ）に示すように上下の金型パーツ１１，１２を離間させる。
【００３１】
このように、モールドイン部３の中央部に空気層３２を設けているので、モールドインの際のコンタクト５の振れ防止を容易に行うことができる。
【００３２】
図７〜図９を参照して、電気コネクタ１を使用して製造された中継コネクタについて説明する。
【００３３】
図７及び図８に示す中継コネクタ１００は、携帯電話や携帯端末用のＩ／Ｏコネクタとして使用できるものであり、上述した電気コネクタ１に加えて、回路パターンを形成した基板７、図示の便宜上一部のみを図示した複数本のケーブル８、及び絶縁性のフード９を含んでいる。
【００３４】
中継コネクタ１００を製造するには、図９（ａ）に示すように、先ず電気コネクタ１に基板７を組み付ける。具体的には、図４に示したように上下に振り分けられた端子部５３の間に基板７を挿入し、基板７の回路パターンを端子部５３に接触させて電気的接続を得る。次に、図９（ｂ）に示すように、ケーブル８を基板７の回路パターンに半田付けなどにより接続する。更に、電気コネクタ１、基板７、及びケーブル８の組立体上に樹脂をオーバーモールドしてフード９を形成し、これにより図７に示す中継コネクタ１００を得る。
【００３５】
なお、図１〜図５を用いて説明した電気コネクタ１は、図７及び図８に示すタイプの中継コネクタに限らず、他の様々なタイプのコネクタにも利用可能である。
【産業上の利用可能性】
【００３６】
本発明は、高速化されたデータ通信を扱う携帯電話や携帯端末に使用されるＩ／Ｏコネクタなどの中継コネクタに利用できる。
【符号の説明】
【００３７】
１  電気コネクタ
２  ハウジング
３  モールドイン部
３１  コンタクト保持部
３２  空気層
３２ａ  上層
３２ｂ  下層
３２ｃ  貫通部
３３  前半部
３４  後半部
３５  係止穴
４  カバー部
４１  嵌合開口
４２  挿着穴
５  コンタクト
５１  接触バネ部
５２  被保持部
５３  端子部
６  金属シェル
６１  係止片
７  基板
８  ケーブル
９  フード
１０  モールド部品
１１，１２  金型パーツ
１００  中継コネクタ
【図１】
2010212017.tif 000003
【図２】
2010212017.tif 000004
【図３】
2010212017.tif 000005
【図４】
2010212017.tif 000006
【図５】
2010212017.tif 000007
【図６】
2010212017.tif 000008
【図７】
2010212017.tif 000009
【図８】
2010212017.tif 000010
【図９】
2010212017.tif 000011